(57)【要約】【課題】キャスティング時に仕掛けの絡みを確実に防止することができると共に魚のアタリを確実に認識することができる釣用天秤の提供。【解決手段】本発明の天秤１０は、錘１２と、メインワイヤ２０と、サブワイヤ３０とから構成されている。メインワイヤ２０及びサブワイヤ３０は、細長線材で構成されている。メインワイヤ２０の先端部２２に道糸５１が連結され、サブワイヤ３０の先端部３２に仕掛け５８が連結される。これにより、道糸５１と仕掛け５８とが天秤１０を介して接続される。サブワイヤ３０の先端部３２の外径寸法Ｃは、サブワイヤ３０の基端部３６の外径寸法Ｂよりも小さく設定されている。【選択図】図１
2009178138.tif 000002
【特許請求の範囲】
【請求項１】
錘、先端部に道糸が連結される細長線材からなるメインワイヤ、及び先端部に仕掛けが連結される細長線材からなるサブワイヤを備えた釣用天秤であって、
上記サブワイヤの先端部の外径は、当該サブワイヤの基端部の外径よりも小さく設定されている釣用天秤。
【請求項２】
上記サブワイヤは、縮径された段部を備えている請求項１に記載の釣用天秤。
【請求項３】
上記メインワイヤは、上記錘の重心を通る仮想重心線上に配置されている請求項１又は２に記載の釣用天秤。
【請求項４】
上記サブワイヤは、上記メインワイヤに対して交差するように当該メインワイヤに固定されている請求項１から３のいずれかに記載の釣用天秤。
【発明の詳細な説明】
【技術分野】
【０００１】
本発明は、主として投げ釣りに使用される釣用天秤の構造に関するものである。
【背景技術】
【０００２】
釣りのジャンルに「投げ釣り」と称されるものがある。投げ釣りでは、釣人は、釣竿及び釣用リールを使用して仕掛けを遠投する。一般に投げ釣りでは、仕掛けが遠投されればされるほどターゲットのバイトの確率が上がり、釣果につながると考えられている。このため、従来の仕掛けは、飛距離を伸ばす目的で様々な改良がなされている。
【０００３】
図１２は、従来の一般的な投げ釣り用タックルの構成を示す模式図である。同図が示すように、このタックルは、天秤６０と、「サルカン」と称される連結具５７を介して天秤６０に連結された道糸５１と、天秤６０に連結された仕掛け５８とを備えている。仕掛け５８は、幹糸５４に釣針５２が固定されたものである。天秤６０は、錘５３、メインワイヤ６１、及びサブワイヤ６２を備えている。サブワイヤ６２は、メインワイヤ６１に対して直交している。釣人は、釣竿を用いて仕掛け５８を遠投する。タックルの中で最も重いのは錘５３である。このため、釣人のキャスティング動作により、仕掛け５８は、錘５３を先頭に飛行する。このとき、幹糸５４は、錘５３に引っ張られるようにして道糸５１側（図１２における上側）へ延びて飛行する。同図が示すように、幹糸５４がサブワイヤ６２によって道糸５１から離隔されているので、仕掛け５８の飛行中に幹糸５４が道糸５１に絡まることが防止される。仕掛け５８が着水した後に、釣人は、釣用リールを巻き上げて道糸５１の弛みを除去し、また、幹糸５４が同図の状態となるようにセットする。さらに、釣人は、状況に応じて道糸５１をゆっくりとリーリングし、いわゆる引き釣りを行うことにより魚のバイトを誘う。魚がバイトすれば、その振動が天秤６０及び道糸５１を介して釣人に伝わり、釣人は、魚のヒットを確認する。
【０００４】
メインワイヤとサブワイヤとの線径が異なる天秤が従来から提供されている（例えば特許文献１参照）。この天秤のサブワイヤは、線径が０．３ｍｍ以上０．８ｍｍ以下の形状記憶合金で構成されており、きわめて柔軟である。そのため、仕掛けの飛行中にサブワイヤが受ける空気抵抗が軽減され、仕掛けの遠投性が向上する。
【０００５】
【特許文献１】特開２００７−１１６９４３号公報
【発明の開示】
【発明が解決しようとする課題】
【０００６】
ところで、上記メインワイヤ及びサブワイヤは一般にステンレス線材等から構成されるが、サブワイヤの剛性が低すぎると、キャスティング時に仕掛けが道糸と絡んでしまうおそれがある一方、サブワイヤの剛性が高すぎると、例えば引き釣りの際に釣人が魚のヒット（いわゆるアタリ）を確認することが困難になる。すなわち、天秤の設計においては、特にサブワイヤの剛性の設定が重要である。
【０００７】
本発明は、かかる背景のもとになされたものであって、キャスティング時に仕掛けの絡みを確実に防止することができると共に魚のアタリを確実に認識することができる釣用天秤を提供することを目的とする。
【課題を解決するための手段】
【０００８】
(1) 上記目的が達成されるため、本発明に係る釣用天秤は、錘、先端部に道糸が連結される細長線材からなるメインワイヤ、及び先端部に仕掛けが連結される細長線材からなるサブワイヤを備えた釣用天秤であって、上記サブワイヤの先端部の外径は、当該サブワイヤの基端部の外径よりも小さく設定されている。
【０００９】
この釣用天秤は、投げ釣りの際に使用され、道糸と仕掛けとを接続する。道糸は、メインワイヤの先端部に連結され、仕掛けは、サブワイヤの先端部に連結される。釣人のキャスティングにより釣用天秤は飛行する。このとき、錘が先行し、メインワイヤに接続された道糸及びサブワイヤに接続された仕掛けが錘に引っ張られるようにして飛行する。サブワイヤの基端部の外径が先端部の外径よりも大きいから、サブワイヤの基端部の剛性は高く設定され得る。したがって、飛行中にサブワイヤが大きく撓むことが防止され、仕掛けが道糸に絡むことがない。しかも、サブワイヤの先端部は基端部に比べて縮径されているから、サブワイヤが飛行中に受ける空気抵抗が低減される。仕掛けが着水して海底に配置された状態で魚のバイトがあったときは、その振動が釣用天秤を介して道糸に伝わる。このとき、サブワイヤの先端部は基端部に比べて縮径されているから、サブワイヤは確実に撓む。したがって、上記振動は道糸に確実に伝達される。
【００１０】
(2) 上記サブワイヤは、縮径された段部を備えていてもよい。
【００１１】
サブワイヤの基端部側と先端部側との間に段部が形成されている。この段部を境界として、サブワイヤの剛性が変更されている。この段部によりサブワイヤが簡易かつ安価に縮径される。
【００１２】
(3) 上記メインワイヤは、上記錘の重心を通る仮想重心線上に配置されていることが好ましい。
【００１３】
これにより、キャスティング時における釣用天秤の飛行姿勢が安定する。したがって、仕掛けの絡みがより確実に防止されると共に釣用天秤の飛距離が伸びる。
【００１４】
(4) 上記サブワイヤは、上記メインワイヤに対して交差するように当該メインワイヤに固定されていることが好ましい。
【００１５】
これにより、魚がヒットしたことによるサブワイヤの振動が錘を介すことなくメインワイヤのみを介して道糸に伝わる。したがって、釣人は、魚の小さなアタリでも確実に認識することが可能となる。
【発明の効果】
【００１６】
本発明によれば、サブワイヤの先端部の外径が基端部の外径よりも小さく設定されているので、キャスティング時に仕掛けの絡みを確実に防止することができると共に魚のアタリを確実に認識することができる。
【発明を実施するための最良の形態】
【００１７】
以下、適宜図面が参照されつつ、好ましい実施形態に基づいて本発明が詳細に説明される。なお、本実施形態は本発明の一例にすぎず、本発明の要旨を変更しない範囲で適宜変更され得る。
【００１８】
［第１実施形態］
図１は、本発明の第１実施形態に係る天秤１０の外観斜視図であり、図２は、縦断面図である。
【００１９】
天秤１０（本発明の釣用天秤の一例）は、いわゆる投げ釣りの際に使用される。この天秤１０は、道糸５１（図１２参照）と仕掛け５８（図１２参照）とを接続するものである。図１及び図２が示すように、天秤１０は、錘１２（本発明の錘の一例）と、道糸５１が連結されるメインワイヤ２０（本発明のメインワイヤの一例）と、仕掛け５８が連結されるサブワイヤ３０（本発明のサブワイヤの一例）とを備えている。本実施形態に係る天秤１０の特徴とするところは、サブワイヤ３０の先端部３２（本発明の先端部の一例）の外径がサブワイヤ３０の基端部３６（本発明の基端部の一例）の外径よりも小さく設定されている点である。後に詳述されるが、サブワイヤ３０が縮径されることによって、釣人は、仕掛け５８を道糸５１に絡ませることなく遠投でき、しかも、魚のアタリを確実に認識することができる。
【００２０】
本実施形態では、メインワイヤ２０及びサブワイヤ３０が一本のワイヤ１４（図５参照）で形成されている。天秤１０は、このワイヤ１４が錘１２に固定されたものである。後述のように、天秤１０は、サブワイヤ３０がメインワイヤ２０とほぼ直交するように折り曲げられて使用される（図１０参照）。そして、メインワイヤ２０の先端部２２（本発明の先端部の一例）に道糸５１が連結され、サブワイヤ３０の先端部３２に仕掛け５８が連結されることにより、タックルが完成する。
【００２１】
以下、錘１２の構造が説明される。図３は、錘１２の縦断面図である。図４は、図３におけるIV−矢視図である。
【００２２】
錘１２は、タングステンその他の金属により構成されている。錘１２は略紡錘形を呈しており、その外周面は滑らかな曲面に形成されている。錘１２が略紡錘形に形成されているため、錘１２が飛行中に受ける空気抵抗が小さくなる。なお、錘１２の形状は略紡錘形に限定されるものではなく、円錐形等さまざまな形状が採用され得る。
【００２３】
図３が示すように、錘１２は挿通孔１５を有している。ワイヤ１４は、挿通孔１５に挿通されている。挿通孔１５は、錘１２の軸方向（図３における左右方向）に沿って真っ直ぐに形成されている。軸方向とは、錘１２の中心を貫き、錘１２の重心を通る軸線Ｏ（本発明の仮想重心線の一例）の方向である。図４が示すように、挿通孔１５は、軸方向と直交する方向の形状が略楕円形状に形成されている。挿通孔１５の横方向寸法Ｙは、メインワイヤ２０の基端部２６、及びサブワイヤ３０の第１基端部３７（図５参照）の外径寸法と略等しく設定されている。本実施形態では、基端部２６の外径寸法、及び第１基端部３７の外径寸法がともに１．２ｍｍに設定されている。このため、挿通孔１５の横方向寸法Ｙは、１．２ｍｍに設定されている。また、挿通孔１５の縦方向寸法Ｘは、基端部２６の外径寸法と第１基端部３７の外径寸法とを足し合わせた寸法よりも若干大きく設定されている。本実施形態では、前述のように、メインワイヤ２０の基端部２６の外径寸法、及びサブワイヤ３０の第１基端部３７の外径寸法がともに１．２ｍｍに設定されている。このため、挿通孔１５の縦方向寸法Ｘは、２．５ｍｍに設定されている。挿通孔１５の縦方向寸法Ｘ及び横方向寸法Ｙが前述のように設定されているので、ワイヤ１４が挿通孔１５に挿通された状態（図２参照）において、軸線Ｏと交差する方向へのメインワイヤ２０及びサブワイヤ３０の移動が規制される。
【００２４】
なお、本実施形態では、メインワイヤ２０の基端部２６の中心軸線と、軸線Ｏとが一致するように、挿通孔１５が形成されている。すなわち、メインワイヤ２０の基端部２６が軸線Ｏ上に配置され、サブワイヤ３０の第１基端部３７がメインワイヤ２０の基端部２６に対して錘１２の径方向外側に配置されるように挿通孔１５が形成されている。
【００２５】
図３が示すように、錘１２の下端部１８に挿通孔１５と連続する係止部１７が形成されている。この係止部１７は、ワイヤ１４の第１環状部４１（図５参照）が配置される空間である。係止部１７の横方向寸法は、前述の挿通孔１５の横方向寸法Ｙ（図４参照）と等しく設定されている。また、係止部１７の縦方向寸法Ｚ（図４参照）は、第１環状部４１の外径寸法Ｗ（図５参照）とほぼ等しく設定されている。
【００２６】
次に、ワイヤ１４の構成が説明される。図５は、ワイヤ１４の側面図である。図６は、図５におけるVI部の拡大図である。図７は、図５におけるVII部の拡大図である。図８は、図１におけるVIII部の拡大図である。図９は、図１におけるIX部の拡大図である。
【００２７】
ワイヤ１４は、本実施形態では、１本のステンレス線材を屈曲させることによって形成されている。図５が示すように、ワイヤ１４は、第１環状部４１と、メインワイヤ２０と、第２環状部４２（図９参照）と、サブワイヤ３０と、第３環状部４３（図９参照）とを有している。
【００２８】
第１環状部４１は、図５が示すように、ワイヤ１４の略中央部分がリング形状に屈曲されることにより構成されている。これにより、メインワイヤ２０とサブワイヤ３０とが並列配置されている。ワイヤ１４が錘１２の下端部１８（図３参照）側から挿通孔１５に挿通されることによって、第１環状部４１は、錘１２の係止部１７に配置される（図２参照）。第１環状部４１の外径寸法Ｗは、係止部１７の内径寸法と略等しく設定されている。具体的には、第１環状部４１の外径寸法Ｗが係止部１７の縦方向寸法Ｚ（図４参照）と略等しく設定されている。
【００２９】
ワイヤ１４は、次の要領で錘１２に取り付けられる。ワイヤ１４は、係止部１７側から挿通孔１５に挿通される。この挿通過程において、第１環状部４１が係止部１７に嵌め込まれる前に、第１環状部４１の内側にピン１６（図２参照）が配置される。ピン１６は、第１環状部４１の内径寸法よりも大きい外径寸法を有する円柱形状の部材であり、例えば真鍮で構成されている。ピン１６の外径寸法が第１環状部４１の内径寸法よりも大きいため、第１環状部４１は、内側に配置されたピン１６によって拡径される。この第１環状部４１が係止部１７に圧入されることによってワイヤ１４が錘１２に固定される。
【００３０】
ワイヤ１４における第１環状部４１の一端側がメインワイヤ２０である。メインワイヤ２０は、外径寸法Ｄ（図６及び図７参照）が一定の細長線材である。すなわち、メインワイヤ２０の基端部２６の外径寸法と先端部２２の外径寸法とが等しく設定されている。このメインワイヤ２０の外径寸法Ｄは、挿通孔１５の内径寸法を考慮して適切な値に設定される。すなわち、メインワイヤ２０の外径寸法Ｄは、挿通孔１５の横方向寸法Ｙ（図４参照）と略等しく設定されている。本実施形態では、メインワイヤ２０の外径寸法Ｄは、１．２ｍｍに設定されている。
【００３１】
メインワイヤ２０は、サブワイヤ３０とともに挿通孔１５に挿通される。前述のように、メインワイヤ２０の基端部２６の外径寸法は、挿通孔１５の横方向寸法Ｙと等しく設定されている。また、挿通孔１５の縦方向寸法Ｘは、メインワイヤ２０の基端部２６の外径寸法とサブワイヤ３０の第１基端部３７の外径寸法との和よりも若干大きく設定されている。このため、ワイヤ１４が挿通孔１５に挿通されることによって、メインワイヤ２０の基端部２６が軸線Ｏ上に配置される（図８参照）。
【００３２】
図５及び図９が示すように、メインワイヤ２０の先端部２２に第２環状部４２が形成されている。第２環状部４２は、メインワイヤ２０の先端部２２がリング形状に屈曲されることによって形成されている。第２環状部４３は、メインワイヤ２０に道糸５１を連結するためのものである。道糸５１は、連結具５７（図１２参照）を介して第２環状部４２に連結される。なお、連結具５７を介すことなく第２環状部４２に直接道糸５１が連結されてもよい。
【００３３】
ワイヤ１４における第１環状部４１の他端側がサブワイヤ３０である。図５が示すように、サブワイヤ３０の基端部３６は、第１基端部３７及び第２基端部３８からなる。第１基端部３７は、基端部３６のうち、錘１２の挿通孔１５内に配置される部分である（図２参照）。図２が示すように、第２基端部３８は、基端部３６のうち、錘１２の上端部１９よりも外側に配置される部分である。これら第１基端部３７と第２基端部３８との境界に第１段部３４（本発明の段部の一例、図５及び図６参照）が形成されている。この第１段部３４によって第１基端部３７と第２基端部３８とが連続している。第２基端部３８は、第１段部３４において第１基端部３７に対して縮径されている。本実施形態では、図６が示すように、第１基端部３７の外径寸法Ａが１．２ｍｍに設定され、第２基端部３８の外径寸法Ｂが１．０ｍｍに設定されている。
【００３４】
図５が示すように、第２基端部３８と先端部３２との境界に第２段部３５（本発明の段部の一例、図５及び図７参照）が形成されている。サブワイヤ３０の先端部３２は、第２段部３５によって第２基端部３８と連続している。先端部３２は、第２段部３５において第２基端部３８に対して縮径されている。本実施形態では、図７が示すように、第２基端部３８の外径寸法Ｂが前述のように１．０ｍｍに設定され、先端部３２の外径寸法Ｃが０．８ｍｍに設定されている。このように、サブワイヤ３０の先端部３２の外径は、サブワイヤ３０の基端部３６（第２基端部３８）の外径よりも小さく設定されている。すなわち、サブワイヤ３０は、第２基端部３８よりも先端部３２の方が剛性が低くなるように形成されている。
【００３５】
図９が示すように、サブワイヤ３０の先端部３２に第３環状部４３が形成されている。第３環状部４３は、サブワイヤ３０の先端部３２がリング形状に屈曲されることによって形成されている。第３環状部４３は、仕掛け５８（図１２参照）をサブワイヤ３０に連結するためのものである。
【００３６】
図１０は、実釣時における天秤１０の側面図である。
【００３７】
本実施形態に係る天秤１０は、以下のように使用される。すなわち、釣人は、図１０が示すように、サブワイヤ３０の長手方向とメインワイヤ２０の長手方向とがほぼ直交するように、サブワイヤ３０の第２基端部３８を折り曲げる。そして、釣人は、連結具５７（図１２参照）を介して道糸５１をメインワイヤ２０の第２環状部４２（図９参照）に連結する。また、釣人は、サブワイヤ３０の第３環状部４３（図９参照）に仕掛け５８の幹糸５４（図１２参照）を連結する。これにより、道糸５１と仕掛け５８とが天秤１０によって連結される。なお、図１０では、メインワイヤ２０に連結された道糸５１、及びサブワイヤ３０に連結された仕掛け５８が省略されている。
【００３８】
釣人が仕掛け５８をキャストすることにより、天秤１０は、仕掛け５８とともに飛行する。天秤１０及び仕掛け５８の中で最も重いのは錘１２である。したがって、天秤１０及び仕掛け５８は、錘１２が先行し、メインワイヤ２０に接続された道糸５１及びサブワイヤ３０に接続された仕掛け５８が錘１２に引っ張られるようにして飛行する。図７が示すように、サブワイヤ３０の第２基端部３８の外径寸法Ｂが先端部３２の外径寸法Ｃよりも大きいから、第２基端部３８は先端部３２よりも剛性が高い。これにより、飛行中にサブワイヤ３０全体が大きく撓むことが防止されるので、仕掛け５８が道糸５１に絡むことがない。また、サブワイヤ３０の先端部３２は、第２基端部３８に比べて縮径されているから、サブワイヤ３０が飛行中に受ける空気抵抗が低減されている。これにより、天秤１０の飛距離が伸びる。
【００３９】
仕掛け５８が着水して海底に配置された後は、釣人は、道糸５１をゆっくりとリーリングし、いわゆる引き釣りを行うことにより魚のバイトを誘う。魚のバイトがあったときは、その振動が天秤１０を介して道糸５１に伝わる。前述のように、サブワイヤ３０の先端部３２は第２基端部３８に比べて縮径されているから、少なくともサブワイヤ３０の先端部３２は魚のバイトにより確実に撓む。したがって、魚のバイトによるサブワイヤ３０の振動は、道糸５１に確実に伝達される。
【００４０】
以上説明したように、サブワイヤ３０の先端部３２の外径が第２基端部３８の外径よりも小さく設定されているので、キャスティング時に仕掛け５８の絡みを確実に防止することができると共に、釣人が魚のアタリを確実に認識することができる。
【００４１】
また、本実施形態では、図８が示すように、メインワイヤ２０の基端部２６が錘１２の軸線Ｏ上に配置されている。したがって、キャスティング時における天秤１０の飛行姿勢が安定するので、仕掛け５８の絡みをより確実に防止され、且つ天秤１０の飛距離が伸びる。
【００４２】
なお、本実施形態で示したサブワイヤ３０の第１基端部３７の外径寸法Ａ、第２基端部３８の外径寸法Ｂ、及び先端部３２の外径寸法Ｃは一例である。したがって、先端部３２の外径寸法Ｃが第２基端部３８の外径寸法Ｂよりも小さければ、外径寸法Ａ〜Ｃは本実施形態で例示した寸法に限定されるものではない。例えば、第１基端部３７の外径寸法Ａと第２基端部３８の外径寸法Ｂとが等しく設定されてもよい。
【００４３】
また、本実施形態では、メインワイヤ２０の外径寸法Ｄがサブワイヤ３０の第２基端部３８の外径寸法Ｂ及び先端部３２の外径寸法Ｃよりも大きく設定されている。ただし、メインワイヤ２０の外径寸法Ｄは、第２基端部３８の外径寸法Ｂ又は先端部３２の外径寸法Ｃよりも小さく設定されてもよい。
【００４４】
また、本実施形態では、第１段部３４及び第２段部３５の２箇所でサブワイヤ３０の外径寸法が縮径されている。ただし、本発明の段部の数はこれに限定されるものではない。すなわち、例えばサブワイヤ３０が第２段部３５のみを有していてもよい。また、例えば第１段部３４及び第２段部３５に加えて、サブワイヤ３０に更に段部が設けられていてもよい。
【００４５】
また、本実施形態では第１段部３４及び第２段部３５でサブワイヤ３０が段階的に縮径されている態様について説明したが、サブワイヤ３０に必ずしも段部を設ける必要はない。すなわち、例えばサブワイヤ３０が基端部３６側から先端部３２側へ向けて徐々に細くなるように形成してもよい。
【００４６】
［第２実施形態］
以下、本発明の第２実施形態が説明される。図１１は、本発明の第２実施形態に係る天秤７０の側面図である。第２実施形態に係る天秤７０（本発明の釣用天秤の一例）が第１実施形態と異なる点は、サブワイヤ３０がメインワイヤ２０に対して交差するようにメインワイヤ２０に固定されている点であり、その他は第１実施形態と同様である。このため、第１実施形態と共通する点については同一符号が付されている。
【００４７】
第２実施形態におけるサブワイヤ３０は、第１基端部３７を有していない。すなわち、サブワイヤ３０は、第２基端部３８及び先端部３２を有しており、第２基端部３８がメインワイヤ２０の基端部２６に固定されている。つまり、錘１２にはサブワイヤ３０が固定されておらず、メインワイヤ２０のみが固定されている。
【００４８】
サブワイヤ３０の第２基端部３８には、固定具７２が設けられている。固定具７２は、サブワイヤ３０をメインワイヤ２０に固定するためのものである。固定具７２は、内径寸法がメインワイヤ２０の外径寸法Ｄよりも若干大きい円筒形状の部材であり、例えばステンレスで構成される。サブワイヤ３０は、固定具７２の軸線方向（図１１における上下方向）と直交するように、固定具７２の外周面に固定されている。固定具７２は、メインワイヤ２０の基端部２６に溶接されている。このため、図１１が示すように、サブワイヤ３０がメインワイヤ２０に対してほぼ直角に交差する。
【００４９】
このように、天秤７０では、サブワイヤ３０が錘１２を介さずメインワイヤ２０に直接連結されているので、魚がヒットしたことによるサブワイヤ３０の振動が錘１２を介すことなくメインワイヤ２０及び連結具５７のみを介して道糸５１に伝わる。したがって、錘１２による上記振動の減衰が減少するため、釣人は、魚の小さなアタリでも確実に認識することができる。
【産業上の利用可能性】
【００５０】
本発明は、主として投げ釣りに使用される釣用天秤に適用され得る。
【図面の簡単な説明】
【００５１】
【図１】図１は、本発明の第１実施形態に係る天秤１０の外観斜視図である。
【図２】図２は、本発明の第１実施形態に係る天秤１０の縦断面図である。
【図３】図３は、錘１２の縦断面図である。
【図４】図４は、図３におけるIV−矢視図である。
【図５】図５は、ワイヤ１４の側面図である。
【図６】図６は、図５におけるVI部の拡大図である。
【図７】図７は、図５におけるVII部の拡大図である。
【図８】図８は、図１におけるVIII部の拡大図である。
【図９】図９は、図１におけるIX部の拡大図である。
【図１０】図１０は、実釣時における天秤１０の側面図である。
【図１１】図１１は、本発明の第２実施形態に係る天秤７０の側面図である。
【図１２】図１２は、従来の一般的な投げ釣り用タックルの構成を示す模式図である。
【符号の説明】
【００５２】
１０，７０・・・天秤（釣用天秤）
１２・・・錘
２０・・・メインワイヤ
２２・・・先端部
３０・・・サブワイヤ
３２・・・先端部
３４・・・第１段部（段部）
３５・・・第２段部（段部）
３６・・・基端部
５１・・・道糸
５８・・・仕掛け
Ｏ・・・軸線（仮想重心線）
【図１】
2009178138.tif 000003
【図２】
2009178138.tif 000004
【図３】
2009178138.tif 000005
【図４】
2009178138.tif 000006
【図５】
2009178138.tif 000007
【図６】
2009178138.tif 000008
【図７】
2009178138.tif 000009
【図８】
2009178138.tif 000010
【図９】
2009178138.tif 000011
【図１０】
2009178138.tif 000012
【図１１】
2009178138.tif 000013
【図１２】
2009178138.tif 000014